(57)【特許請求の範囲】
【請求項１】
螺子を挿通する貫通孔を備えた取付部と、該取付部の表面に突設された樋支持部と、該取付部の裏面に配置されるスペーサとを備え、前記螺子を前記貫通孔及び前記スペーサに貫通させて鼻隠し板に固定する軒樋支持具であって、
前記スペーサの前記螺子を貫通させる部分は、螺子を螺入可能な中実の壁部とされ、
前記スペーサの前記螺子を貫通させる部分には、前記取付部側に開口する凹所が形成されていることを特徴とする軒樋支持具。
【請求項２】
前記スペーサの鼻隠し板に当接する面には、前記螺子の螺入時に前記鼻隠し板から生成されるセメント系材料又は可塑剤の切粉を下方へ導いて排出する溝が形成されていることを特徴とする請求項１に記載の軒樋支持具。
【請求項３】
螺子を挿通する貫通孔を備えた取付部と、該取付部の表面に突設された樋支持部と、該取付部の裏面に配置されるスペーサとを備え、前記螺子を前記貫通孔及び前記スペーサに貫通させて鼻隠し板に固定する軒樋支持具であって、
前記スペーサの前記螺子を貫通させる部分は、螺子を螺入可能な中実の壁部とされ、
前記スペーサの鼻隠し板に当接する面には、前記螺子の螺入時に前記鼻隠し板から生成されるセメント系材料又は可塑剤の切粉を下方へ導いて排出する溝が形成されていることを特徴とする軒樋支持具。
【発明の詳細な説明】
【技術分野】
【０００１】
本発明は、家屋の軒先に軒樋を設置するための軒樋支持具に関する。
【背景技術】
【０００２】
一般に、家屋の軒先に軒樋を設置する場合には、軒樋を建物側に支持、固定するための軒樋支持具を建物の鼻隠し板に固定し、この軒樋支持具に軒樋を装着するようにしている。
この場合に用いる軒樋支持具としては、耐腐蝕性、耐衝撃性、難燃性等の観点から、ポリカーボネート樹脂により形成されたものが広く用いられている。
【０００３】
しかしながら、軒樋支持具を固定する建物の鼻隠し板がセメント系の材料により形成されている場合には、ポリカーボネート成形品がセメント系材料のアルカリ成分の影響を受けることから、ポリカーボネート樹脂製の軒樋支持具が鼻隠し板のアルカリ成分と接触し続けることによって、当該軒樋支持具にクラックが生じるという問題があった。
【０００４】
また、鼻隠し板がポリ塩化ビニル被覆鋼板で形成されている場合にも、ポリ塩化ビニルに含まれる可塑剤によって軒樋支持具が影響を受け、上記と同様に軒樋支持具にクラックが生じるという問題があった。
【０００５】
そこで、ポリカーボネート樹脂製の軒樋支持具をアルカリ成分を含むセメント系の材料又は可塑剤を含む合成樹脂材料により形成された鼻隠し板に設置する場合を考慮したものとして、従来、下記特許文献１に記載された軒樋支持具が提案されている。
【０００６】
図６は、上記従来の軒樋支持具の取付構造１を示す図であって、軒樋２を保持して建物の鼻隠し板３に取り付けられる軒樋支持具４と、カバー部材５とからなっている。
【０００７】
軒樋支持具４は、ポリカーボネート樹脂からなるものであり、鼻隠し板３に取り付けられる取付部６と、該取付部６から軒先方向に突出するように形成され、下方に軒樋２を装着させて支持する樋支持部７とからなっている。
【０００８】
樋支持部７には、軒樋２を係止する耳部８ａ、８ｂが形成されており、耳部８ａ、８ｂに軒樋２の係止部２ａ、２ｂを係止させている。
【０００９】
カバー部材５は、取付部６の上端面を覆う上壁部５ａ、該上壁部５ａの前端から下方に延出し取付部６の前面を覆う垂直壁部５ｂ、及び上壁部５ａの後端から下方に延出し取付部６の後面を覆う垂直壁部５ｃにより形成された部材であり、ゴム等の耐アルカリ性材料又は可塑剤を含まない材料により形成されている。
【００１０】
取付部６には鼻隠し板３への固定用の螺子１１が挿通される貫通孔９、９・・が形成されており、この貫通孔９、９・・に連通するようカバー部材５の対応した位置に孔１０、１０・・が形成されている。
【００１１】
この構成の下に、カバー部材５は、垂直壁部５ｂ、５ｃにより取付部６の前後面を挟み込むように該取付部６に装着され、このカバー部材５及び軒樋支持具４は、垂直壁部５ｂ、５ｃ及び取付部６を貫通する穴１０及び貫通孔９に螺子１１を螺入することにより鼻隠し板３に固定されている。
【００１２】
上記のようにして、軒樋支持具４は、取付部６に鼻隠し板３との間に耐アルカリ性材料又は可塑剤を含まない材料からなるカバー部材５を介在させることにより、軒樋支持具４が直接鼻隠し板３に当接しないようにして該軒樋支持具４のクラックの発生を防止している。
【先行技術文献】
【特許文献】
【００１３】
【特許文献１】特開２００７−１３８５５３号公報
【発明の概要】
【発明が解決しようとする課題】
【００１４】
しかし、上記の軒樋支持具４によると、貫通孔９、９・・と孔１０、１０・・とが連通するように取付部６及びカバー部材５に予め形成されているものであるため、螺子１１との間で隙間が生じ、該螺子１１の螺入時に生成される鼻隠し板３のセメント系材料又は可塑剤の切粉が、特に雨天時に雨水と共に貫通孔９及び孔１０を通ってポリカーボネートからなる取付部６に移行し付着してしまうおそれがあり、軒樋支持具４の取付部６にクラックが発生することを十分に防止し得ないという問題があった。
【課題を解決するための手段】
【００１５】
そこで、本発明は、上記課題を解決するために以下の手段を提供している。
請求項１の発明は、螺子を挿通する貫通孔を備えた取付部と、該取付部の表面に突設された樋支持部と、該取付部の裏面に配置されるスペーサとを備え、前記螺子を前記貫通孔及び前記スペーサに貫通させて鼻隠し板に固定する軒樋支持具であって、前記スペーサの前記螺子を貫通させる部分は、螺子を螺入可能な中実の壁部とされ、前記スペーサの前記螺子を貫通させる部分には、前記取付部側に開口する凹所が形成されていることを特徴とする。
【００１６】
請求項２の発明は、請求項１の発明において、前記スペーサの鼻隠し板に当接する面には、前記螺子の螺入時に前記鼻隠し板から生成されるセメント系材料又は可塑剤の切粉を下方へ導いて排出する溝が形成されていることを特徴とする。
【００１７】
請求項３の発明は、螺子を挿通する貫通孔を備えた取付部と、該取付部の表面に突設された樋支持部と、該取付部の裏面に配置されるスペーサとを備え、前記螺子を前記貫通孔及び前記スペーサに貫通させて鼻隠し板に固定する軒樋支持具であって、前記スペーサの前記螺子を貫通させる部分は、螺子を螺入可能な中実の壁部とされ、前記スペーサの鼻隠し板に当接する面には、前記螺子の螺入時に前記鼻隠し板から生成されるセメント系材料又は可塑剤の切粉を下方へ導いて排出する溝が形成されていることを特徴とする。
【発明の効果】
【００１８】
本発明の係る軒樋支持具によれば、上記した解決手段によって下記の効果を奏する。
すなわち、請求項１に係る軒樋支持具によれば、取付部の裏面にスペーサが配され、かつ螺子が該スペーサの中実の壁部に螺入されて鼻隠し板に固定されることにより、螺子がスペーサの内部に密着して螺入されるため、鼻隠し板がアルカリ成分を含むセメント系材料や可塑剤を含む材料により形成されている場合にあっても、螺子の螺入時に発生する鼻隠し板のセメント系材料又は可塑剤を含む切粉が取付部に移行して付着することを防止し、取付部のクラックの発生を防止することができ、また、スペーサの取付部側に形成された凹所により、貫通孔と凹所との位置決めが容易となるとともに、螺子の螺入が容易になるという効果を奏する。
【００１９】
請求項２に係る軒樋支持具によれば、請求項１に係る発明の効果を奏し、また、スペーサの裏面に鼻隠し板の切粉を下方へ導いて排出する溝部が形成されていることにより、螺子の螺入時に生成される鼻隠し板のセメント系材料又は可塑剤を含む切粉を排出して、取付部側への移行をより確実に防止することができるという効果を奏する。
【００２０】
請求項３に係る軒樋支持具によれば、鼻隠し板がアルカリ成分を含むセメント系材料や可塑剤を含む材料により形成されている場合にあっても、螺子の螺入時に発生する鼻隠し板のセメント系材料又は可塑剤を含む切粉が取付部に移行して付着することを防止し、取付部のクラックの発生を防止することができ、また、スペーサの裏面に鼻隠し板の切粉を下方へ導いて排出する溝部が形成されていることにより、螺子の螺入時に生成される鼻隠し板のセメント系材料又は可塑剤を含む切粉を排出して、取付部側への移行をより確実に防止することができるという効果を奏する。
【図面の簡単な説明】
【００２１】
【図１】は、本発明の一実施形態として示した軒樋支持具を分解して示した側面図である。
【図２】（ａ）は、本発明の一実施形態として示した軒樋支持具の取付部を示した正面図であり、（ｂ）は同軒樋支持具のスペーサを示した正面図である。
【図３】は、本発明の一実施形態として示した軒樋支持具の要部を拡大して示した断面図である。
【図４】は、本発明の一実施形態として示した軒樋支持具の取付状態を一部を断面視して示した側面図である。
【図５】（ａ）は、本発明の他の実施形態として示した軒樋支持具のスペーサを示した背面図であり、同図（ｂ）は、（ａ）をＡ−Ａ線において矢視した断面図である。
【図６】は、従来の軒樋支持具の取付構造を示した側面図である。
【発明を実施するための形態】
【００２２】
以下、図を参照して本発明の実施形態について説明する。
図１は、本発明の一実際形態として示した軒樋支持具２１を分解して示した図である。
図１に示すように、軒樋支持具２１は、アルカリ成分を含むセメント系材料又は可塑剤を含む鼻隠し板２２に取り付けられ、軒樋２７を装着するものであって、軒樋支持具２１の取付部２３と鼻隠し板２２との間に後述する耐アルカリ性樹脂材料又は可塑剤を含まない樹脂材料からなるスペーサ２４を介在させて取付部２３、スペーサ２４を螺子２５により鼻隠し板２２に固定するものである。
【００２３】
軒樋支持具２１は、鼻隠し板２２に取り付けられる上記の取付部２３と、この取付部２３の表面から軒先(不図示)に向かって突設された樋支持部２６とを備えたものであり、樋支持部２６の下方に軒樋２７が装着されるものである。
【００２４】
取付部２３は、図２（ａ）に示すように、略Ｔ字状に形成された板体である。
【００２５】
取付部２３の上部側板部の左右端部及び下方に延在する板部の下端部には、図１に示す螺子２５を挿通させる貫通孔２８が形成されている。
【００２６】
貫通孔２８は、径の寸法が螺子２５の螺子部２５ａの径寸法と略同寸法に形成された断面円形の孔であり、図１に示すように、取付部２３の表面に直交する方向に形成されている。
【００２７】
樋支持部２６は、軒先の突出方向に突出しており、軒樋２７の上端縁の係止部２７ａ、２７ｂを係止させる耳部２６ａ、２６ｂを備えている。
【００２８】
スペーサ２４は、図２（ｂ）に示すように正面から見た形状が取付部２３と略同形状に形成された板体であり、螺子２５が螺入される壁部を形成するよう５ｍｍ〜１０ｍｍ程度の厚み寸法を有している。
【００２９】
取付部２３が当接するスペーサ２４の前面Ｆには、図１、図２（ｂ）に示すように取付部２３の貫通孔２８、２８・・に対応するそれぞれの位置に、螺子２５を螺入する際の位置決め部分となる凹所２９、２９・・が形成されている。
【００３０】
凹所２９は、貫通孔２８よりも小径の正円形状で、スペーサ２４の厚み方向に一定寸法凹むように形成されており、図３に示すようにこの凹所２９の底面３０とスペーサ２４の後面Ｂとの間は、螺子２５が螺入可能な中実の壁部３１とされている。
【００３１】
このように、スペーサ２４には、螺子２５が貫通される壁部に螺子貫通用の穴は予め形成されておらず、このスペーサ２４は無穴の構成とされている。なお、凹所２９の後面Ｂは平坦に形成されている。
【００３２】
凹所２９の深さは、螺子２５の先端を挿入した際に貫通孔２８と凹所２９の軸線を合わせることによって取付部２３とスペーサ２４との位置合わせが容易となるように、スペーサ２４の厚み寸法に応じて、２ｍｍ〜３ｍｍ程度の寸法に設定されている。
【００３３】
上記の構成において、軒樋支持具２１は、例えば耐腐蝕性、耐衝撃性、難燃性等の観点から、ポリカーボネート樹脂により形成されている。
また、スペーサ２４は、前述したように耐アルカリ性樹脂材料又は可塑剤を含まない樹脂材料により形成され、例えば、硬質塩化ビニル樹脂等により形成されている。耐可塑剤性の樹脂材料としては、可塑剤を含まずかつ可塑剤を侵入させ難い樹脂であることがより好ましい。
【００３４】
次に、上記の軒樋支持具２１の施工方法について説明する。
鼻隠し板２２に対し軒樋支持具２１を取り付けるには、図１に示すように、鼻隠し板２２の表面の定められた位置に、凹所２９が取付部２３側に開口するようにスペーサ２４を配置し、該スペーサ２４の前面Ｆに軒樋支持具２１の取付部２３を配置しスペーサ２４の凹所２９を貫通孔２８から視認して位置合わせする。
【００３５】
そして、螺子２５を取付部２３の貫通孔２８から挿通し、螺子２５の先端を凹所２９に当接させる。この際、凹所２９は、貫通孔２８よりも小径に形成されているので、螺子２５を凹所２９に嵌入して貫通孔２８の軸線と合わせることによっても、貫通孔２８と凹所２９とを容易に位置合わせすることが可能となる。
このように貫通孔２８と凹所２９とを位置合わせした上で、螺子２５を押圧かつ回動してスペーサ２４の中実の壁部３１内に螺入すると、図３に示すように、螺子２５の螺子山３６がスペーサ２４の素材４０を切り裂き、かつ該素材４０を開口させつつその内部に侵入する。
【００３６】
この際、螺子２５により外方へ押しのけられたスペーサ２４の素材４０には、螺子部２５ａに対する反力が生じるため、該螺子山３６、３６・・間の螺子谷３７、３７・・に素材４０が入り込み、螺子山３６及び螺子谷３７に素材４０が密着した状態となる。
【００３７】
螺子２５を更に回動し、螺子２５の螺子部２５ａが鼻隠し板２２に進入した際には、スペーサ２４の後面Ｂ側開口部付近の素材４０が当該螺子２５の進行に随伴して鼻隠し板２２側にやや延出する。螺子２５の頭部２５ｂが取付部２３の前面に当接すると、図４に示すように軒樋支持具２１の鼻隠し板２２への取付が完了する。
【００３８】
上記のように、鼻隠し板２２と取付部２３との間に、凹所２９を有するとともに螺子２５を貫通させる部分に予め孔が形成されていない無穴のスペーサ２４を介在させて螺子２５を螺入することにより、図３に示すようにスペーサ２４の素材４０を螺子２５の螺子部２５ａの表面に密着させ、鼻隠し板２２と取付部２３との間を遮断する。したがって、鼻隠し板２２に螺子２５を螺入することにより生成されるアルカリ成分を含むセメント系材料又は可塑剤を含む切粉が、スペーサ２４に形成された孔３８を通って取付部２３に形成された貫通孔２８内に移行し、ポリカーボネートにより形成された取付部２３に付着することによってクラックが発生するのを防止することができるという効果が得られる。
【００３９】
また、螺子２５の螺入時にあっては、貫通孔２８に対応する位置に該貫通孔２８よりも小径の凹所２９が形成され、貫通孔２８から凹所２９の位置を確認したり、貫通孔２８を挿通した螺子２５の先端を凹所２９に嵌入させることができるので、取付部２３の貫通孔２８とスペーサ２４の凹所２９との位置合わせが容易となるとともに、螺子２５のスペーサ２４への螺入が容易となる。
【００４０】
また、凹所２９を形成した無穴のスペーサ２４を用いて螺子２５により取付部２３を鼻隠し板２２に取り付けるというシンプルな構造を採用し、かつ螺子２５の螺入においても凹所２９によって螺子２５の先端を適切にガイドすることができるため、取付部２３のクラックを防止し得る軒樋支持具２１の取り付け作業が簡便であるという効果が得られる。
【００４１】
なお、凹所２９は、一定寸法凹み底面３０が平坦になるよう形成されているが、底面３０をスペーサ２４の後面Ｂに向かって漸次縮径させたテーパ形状としてもよい。凹所２９をこのような形状とすることで、螺子２５のスペーサ２４への螺入がより容易となる。
【００４２】
上記の実施形態において、スペーサ２４の鼻隠し板２２に当接する後面Ｂは平坦に形成されているが、図５（ａ）、（ｂ）に示すように、中実の壁部３１を囲みかつ下方に連通して、鼻隠し板２２の切粉や雨水を排出する溝３９を形成したものであってもよい。      
【００４３】
溝３９の形状、幅寸法、及び深さ寸法は、前記切粉や雨水を排出し得るものであれば特に限定されるものではないが、形状及び幅寸法は、スペーサ２４の強度を考慮して切粉等をより排出しやすいものとし、深さ寸法は、スペーサ２４の厚み寸法、凹所２９の深さ寸法、及び螺子２５が螺入される中実の壁部３１の強度等を考慮して、１ｍｍ〜３ｍｍ程度に形成されるとよい。
【００４４】
このような溝３９をスペーサ２４の後面Ｂに形成することで、螺子２５を鼻隠し板２２に螺入する際に生成されるアルカリ成分を含むセメント系材料又は可塑剤を含む切粉を、スペーサ２４の下方に排出することができ、これらの切粉の取付部２３側への移行をより確実に防止することができる。
【符号の説明】
【００４５】
２１    軒樋支持具
２２    鼻隠し板
２３    取付部
２４    スペーサ
２５    螺子
２６    樋支持部
２９    凹所
３１    螺入可能な中実の壁部
３６    螺子山
３７    螺子谷
３９    溝
４０    素材
【図１】
0005548005.tif 000002
【図２】
0005548005.tif 000003
【図３】
0005548005.tif 000004
【図４】
0005548005.tif 000005
【図５】
0005548005.tif 000006
【図６】
0005548005.tif 000007